(57)【要約】【課題】図柄表示部で行なわれる演出と該表示部の回転停止により指し示す役物が表わす内容とを密接に関連付けることで、遊技の興趣を向上する。【解決手段】遊技盤１０の遊技領域１４に装飾部材２０が配設される。装飾部材２０に開設した円形の可視表示部２０ａに、図柄表示装置２２における長方形の図柄表示部２４が回転自在に臨んでいる。可視表示部２０ａの外周囲に、複数の役物３２ａ,３２ｂ,３２ｃ,３２ｄが、周方向に沿って等角度の間隔で配設される。各役物３２ａ,３２ｂ,３２ｃ,３２ｄは、図柄表示部２４で行なわれる各種のリーチ演出を暗示する。そして、図柄表示部２４が回転停止したときに指示辺２４ｄで指し示した役物３２ａ,３２ｂ,３２ｃ,３２ｄが暗示するリーチ演出を、図柄表示部２４で行なう。【選択図】図１
2006081623.tif 000002
【特許請求の範囲】
【請求項１】
遊技盤の遊技面と略平行な面内で回転自在な図柄表示部を備え、該図柄表示部に表示される図柄を変動および停止表示して図柄変動演出を行なう図柄表示装置を有する遊技機において、
前記遊技面における前記図柄表示部の外周囲に臨む位置に、該図柄表示部で行なわれる演出内容を暗示する複数の役物が周方向に沿って配設され、
前記図柄表示部には、回転停止したときに前記何れかの役物を指し示す指示手段が設けられ、
前記図柄表示部が回転停止したときに前記指示手段が指し示す役物が暗示する演出内容を、該図柄表示部で行なうよう構成した
ことを特徴とする遊技機。
【請求項２】
前記複数の役物は、夫々異なるリーチ演出の種類を暗示している請求項１記載の遊技機。
【請求項３】
前記複数の役物は、段階的に変化して特定の状態となることを予告するステップアップ予告演出の内容を夫々暗示し、
前記図柄表示部は、複数の役物の何れかを指し示すように段階的に回転停止し、該停止のタイミングと同期して対応するステップアップ予告演出を行なうように設定される請求項１記載の遊技機。
【請求項４】
前記各役物は発光手段を備えた装飾部品であり、前記図柄表示部の回転停止により指し示された役物の発光手段が発光するよう構成されている請求項１〜３の何れかに記載の遊技機。
【発明の詳細な説明】
【技術分野】
【０００１】
本発明は、遊技盤に対して図柄表示装置の図柄表示部を回転自在に配設した遊技機に関するものである。
【背景技術】
【０００２】
近時の遊技機においては、遊技者の興趣を高めるべく様々な演出が行なわれており、その１つとして、図柄表示装置の図柄表示部を回転する構成が提案されている(例えば、特許文献１参照)。この特許文献１では、所定条件下において図柄表示部を回転動作すると共に、その回転方向や回転タイミングあるいはその組合わせ等を異ならせることで、種々のリーチ予告を行ない得るようになっている。
【特許文献１】特開平９−１９５５２号公報
【発明の開示】
【発明が解決しようとする課題】
【０００３】
しかし、前記特許文献１に開示の技術では、前記図柄表示部がリーチ予告作動を行ない得るとしても、どのような作動態様がリーチ予告を示すものであるのかを、遊技者が理解することは困難であり、興趣を向上するには至らない難点が指摘される。
【０００４】
すなわち本発明は、前述した従来の技術に内在している前記課題に鑑み、これを好適に解決するべく提案されたものであって、図柄表示部で行なわれる演出と該表示部の回転停止により指し示す役物が表わす内容とを密接に関連付けることで、遊技の興趣を向上し得る遊技機を提供することを目的とする。
【課題を解決するための手段】
【０００５】
前記課題を克服し、所期の目的を達成するために、本願発明に係る遊技機は、
遊技盤(10)の遊技面(10a)と略平行な面内で回転自在な図柄表示部(24)を備え、該図柄表示部(24)に表示される図柄を変動および停止表示して図柄変動演出を行なう図柄表示装置(22)を有する遊技機において、
前記遊技面(10a)における前記図柄表示部(24)の外周囲に臨む位置に、該図柄表示部(24)で行なわれる演出内容を暗示する複数の役物(32a,32b,32c,32d)が周方向に沿って配設され、
前記図柄表示部(24)には、回転停止したときに前記何れかの役物(32a,32b,32c,32d)を指し示す指示手段(24d,36)が設けられ、
前記図柄表示部(24)が回転停止したときに前記指示手段(24d,36)が指し示す役物(32a,32b,32c,32d)が暗示する演出内容を、該図柄表示部(24)で行なうよう構成したことを特徴とする。
【０００６】
前記複数の役物(32a,32b,32c,32d)は、夫々異なるリーチ演出の種類を暗示するようにしてもよい。
【０００７】
前記複数の役物(32a,32b,32c,32d)は、段階的に変化して特定の状態となることを予告するステップアップ予告演出の内容を夫々暗示し、
前記図柄表示部(24)は、複数の役物(32a,32b,32c,32d)の何れかを指し示すように段階的に回転停止し、該停止のタイミングと同期して対応するステップアップ予告演出を行なうように設定されるものであってもよい。
【０００８】
前記各役物(32a,32b,32c,32d)を、発光手段(34)を備えた装飾部品として、前記図柄表示部(24)の回転停止により指し示された役物(32a,32b,32c,32d)の発光手段(34)が発光するよう構成してもよい。
【発明の効果】
【０００９】
本発明の請求項１に係る遊技機によれば、図柄表示部の回転停止動作により図柄表示部で行なわれる演出を暗示し得るようにしたので、図柄表示部の回転と演出とを密接に関連付けることができる。すなわち、単に図柄表示部の回転による演出でインパクトを与えるだけに止まらず、図柄表示部の回転停止および今後の展開への関心を高めると共に遊技者の興趣を向上し得る。
【００１０】
請求項２に係る遊技機によれば、大当りとなるか否かを演出するリーチ演出の種類を図柄表示部の回転停止により予告し得るようにしたので、図柄表示部の回転停止動作に対する遊技者の興趣を、より一層向上することができると共に、信頼度の高いリーチ演出が行なわれることへの期待感を高めることができる。
【００１１】
請求項３に係る遊技機によれば、図柄表示部が段階的に回転停止することで、ステップアップ予告が発展し得るようにしたので、図柄表示部の回転停止動作に対する遊技者の興趣を、より一層向上することができ、また予告が発展することでの大当りへの期待感をより高めることができる。
【００１２】
請求項４に係る遊技機によれば、図柄表示部の回転停止により指し示した役物を発光させることで、これから行なわれる演出の内容を、遊技者に対して明確に知らせることができる。
【発明を実施するための最良の形態】
【００１３】
次に、本発明に係る遊技機につき、好適な実施例を挙げて、添付図面を参照しながら以下説明する。なお実施例では、遊技機としてパチンコ球を遊技媒体として使用する一般的なパチンコ機を例にして説明するが、アレンジボール等、その他の形態のものであってもよい。
【実施例】
【００１４】
図１に示す如く、実施例に係るパチンコ機の遊技盤１０は、その前面側に、略円形状に湾曲形成したレール１２が配設されて、該レール１２により遊技領域１４が画成されている。この遊技領域１４における遊技盤１０の前面である遊技面１０ａには、その縦央やや下部に、遊技領域１４(遊技面１０ａ上)を流下するパチンコ球が入賞可能で、入賞したパチンコ球をスイッチで検出し得る始動入賞具１６が配設されると共に、該始動入賞具１６の下方位置には、後述する図柄表示装置２２での図柄組合わせゲームの結果により開放する大型電動式の入賞装置１８が配設されている。
【００１５】
ここで、パチンコ機は、図３に示す如く、パチンコ機全体の総括的な制御を行なう主制御手段３８と、この主制御手段３８により制御され、遊技に関連して設けられる各種サブ制御手段を統括して制御する統括制御手段４０とを備える。またサブ制御手段としては、図柄表示装置２２における表示や回転等の制御を行なう図柄制御手段２６、スピーカー４２の制御を行なう音声制御手段４４、後述する発光手段３４の制御を行なうランプ制御手段４６を装備している。すなわち、統括制御手段４０で、図柄制御手段２６と、音声制御手段４４およびランプ制御手段４６を統括して制御することで、これらの同期・同調が常に図られ、図柄制御手段２６で制御される図柄表示装置２２での図柄組合わせゲームや図柄表示部２４の回転と、音声制御手段４４で制御されるスピーカー４２による効果音発生演出と、ランプ制御手段４６で制御される発光手段３４による照明演出(予告)との間にずれが発生することはなく、演出効果をより高め得るようになっている。
【００１６】
前記始動入賞具１６の上方の遊技面１０ａに、遊技盤１０を装飾する装飾部材２０が配設されており、該装飾部材２０に開設した可視表示部２０ａに、遊技盤１０の裏側に配設される図柄表示装置２２の図柄表示部２４が臨んでいる。この図柄表示装置２２は、前記始動入賞具１６へのパチンコ球の通入に応じて図柄表示部２４に表示される図柄を変動および停止表示することで、所要の図柄組合わせゲーム(図柄変動演出)を行なうよう構成され、遊技機裏側に配設された前記図柄制御手段２６(図３参照)により制御される。
【００１７】
前記装飾部材２０の可視表示部２０ａは、図１に示す如く、正面視において円形に形成されている。これに対して前記図柄表示部２４は、一対の長辺２４ａ,２４ｂと、これと直交する一対の短辺２４ｃ,２４ｄとから長方形に形成され、前記可視表示部２０ａを介して図柄表示部２４が長方形状であることが遊技者(正面側)から視認し得るよう設定される。そして、一方の短辺２４ｄが、後述する役物３２ａ,３２ｂ,３２ｃ,３２ｄを指し示す指示手段として機能するよう構成してある。なお、以後、指示手段として機能する一方の短辺２４ｄを、指示辺とも称する。また図柄表示部２４は、図１に示すように長辺２４ａ,２４ｂが水平となっている状態が、基準姿勢に設定される。
【００１８】
前記図柄表示装置２２における図柄表示部２４は、遊技盤１０の遊技面１０ａと略平行な面内で回転自在に構成され、前記図柄制御手段２６により駆動制御されるモータ等の駆動手段２８(図３参照)を介して所定方向へ回転されるよう構成される。なお、図柄制御手段２６は、前記始動入賞具１６へのパチンコ球の入賞により前記主制御手段３８から統括制御手段４０を経て送られた制御コマンドに基づいて、駆動手段２８を駆動して図柄表示部２４を回転させるよう設定される。また、図柄表示部２４あるいは駆動手段２８に、センサーとセンサースイッチ等からなる角度検出手段３０(図３参照)が配設され、前記指示辺２４ｄが後述する任意の役物３２ａ,３２ｂ,３２ｃ,３２ｄを指し示す位置に到来したことを角度検出手段３０が検出したときに、前記図柄制御手段２６により駆動手段２８が停止制御されて図柄表示部２４が回転停止するよう構成されている。
【００１９】
前記装飾部材２０における可視表示部２０ａの外周囲、すなわち前記図柄表示部２４の外周囲に臨む位置には、複数(実施例では４つ)の装飾部品として機能する役物３２ａ,３２ｂ,３２ｃ,３２ｄが、周方向に沿って等角度の間隔で配設されている。実施例では、前記図柄表示部２４の反時計方向への回転を正転とした場合に、前記基準姿勢における図柄表示部２４の回転中心を通って長辺２４ａ,２４ｂと平行な基準線ＣＬに対する角度が、正面視において下から２つ目の役物３２ｃの中心位置が０°に設定され、最下部の役物３２ｄの中心位置が−３７°に設定され、下から３つ目の役物３２ｂの中心位置が３７°に設定され、最上部の役物３２ａの中心位置が７４°に設定される。そして、前記図柄表示部２４は、前記指示辺２４ｄが、任意の役物３２ａ,３２ｂ,３２ｃ,３２ｄを指し示す位置、すなわち図柄表示部２４が基準姿勢に対して−３７°、０°３７°、７４°の角度位置で回転停止するよう設定される。なお、各役物３２ａ,３２ｂ,３２ｃ,３２ｄの間隔は、前記角度間隔に限定されず、任意に設定可能である。また、各役物３２ａ,３２ｂ,３２ｃ,３２ｄの大きさは、図１に示す如く、図柄表示部２４における２本の長辺２４ａ,２４ｂから延長する仮想線ＩＬ,ＩＬの間に臨む寸法に設定され、この状態で当該の役物３２ａ,３２ｂ,３２ｃ,３２ｄを指し示したこととなるようにしてある。
【００２０】
前記各役物３２ａ,３２ｂ,３２ｃ,３２ｄは、前記図柄表示部２４で行なわれる各種の演出内容を暗示するよう構成されている。実施例では、前記図柄表示部２４で行なわれる演出内容の異なるＡ(虎リーチ),Ｂ(龍リーチ),Ｃ(鳳凰リーチ)およびＤ(姫リーチ)の各リーチ演出を文字で暗示するよう設定してある。すなわち、Ａリーチ演出に対応する役物３２ａにはＡの文字が表わされ、Ｂリーチ演出に対応する役物３２ｂにはＢの文字が表わされ、Ｃリーチ演出に対応する役物３２ｃにはＣの文字が表わされ、Ｄリーチ演出に対応する役物３２ｄにはＤの文字が表わされている。そして、前記図柄制御手段２６では、図柄表示部２４が回転停止したときに前記指示辺２４ｄで指し示した役物３２ａ,３２ｂ,３２ｃ,３２ｄが暗示するリーチ演出を、該図柄表示部２４で行なわせるよう設定される。例えば、指示辺２４ｄで役物３２ａが指し示されたときには、Ａリーチ演出として、虎が出現してハズレ図柄を押しつぶす演出が行なわれ、指示辺２４ｄで役物３２ｂが指し示されたときには、Ｂリーチ演出として、龍が出現して炎を吐きハズレ図柄を焼き尽くす演出が行なわれ、指示辺２４ｄで役物３２ｃが指し示されたときには、Ｃリーチ演出として、鳳凰が出現して羽ばたくことによる風圧でハズレ図柄を吹き飛ばす演出が行なわれ、指示辺２４ｄで役物３２ｄが指し示されたときには、Ｄリーチ演出として、姫が出現し、手招きで大当り図柄を引き寄せる演出が行なわれる。すなわち、図柄表示部２４の指示辺２４ｄで役物３２ａ,３２ｂ,３２ｃ,３２ｄを指し示すことで、これから図柄表示部２４で行なわれるリーチ演出の種類を予告し得るようになっている。
【００２１】
また、前記Ａ,Ｂ,ＣおよびＤの各リーチ演出に対応するリーチ後に大当りが発生する確率は異なるよう設定されており、その大当り発生確率は、Ａ＞Ｂ＞Ｃ＞Ｄの関係に設定される。すなわち、Ａ〜Ｄのリーチの信頼度(大当りとなる確率の高さ)を異ならせることで、図柄表示部２４が回転停止して何れの役物３２ａ,３２ｂ,３２ｃ,３２ｄを指し示すのかと云う遊技者の興趣を向上し得る。
【００２２】
前記各役物３２ａ,３２ｂ,３２ｃ,３２ｄには、前記ランプ制御手段４６で制御されるランプやＬＥＤ等の発光手段３４が夫々配設されており、前記図柄表示部２４の回転停止により指し示された対応する役物３２ａ,３２ｂ,３２ｃ,３２ｄの発光手段３４を発光するように、前記ランプ制御手段４６で制御されるようになっている(図２参照)。具体的には、前記指示辺２４ｄが任意の役物３２ａ,３２ｂ,３２ｃ,３２ｄを指し示す位置に到来したことを前記角度検出手段３０が検出したときに、前記統括制御手段４０からランプ制御手段４６に対して対応する発光手段３４を発光させるための制御コマンドが送られ、該コマンドに基づいてランプ制御手段４６により該当する発光手段３４が発光されるよう設定してある。
【００２３】
〔実施例の作用〕
次に、前述した実施例に係る遊技機の作用について説明する。
【００２４】
前記遊技盤１０に打ち出されたパチンコ球が前記始動入賞具１６に入賞し、これを前記スイッチが検出すると、前記主制御手段３８から統括制御手段４０を経て図柄制御手段２６に送られた制御コマンドに基づいて、該図柄制御手段２６により駆動手段２８が駆動され、前記図柄表示装置２２の図柄表示部２４が回転を開始する。なお、図柄表示部２４の回転中においては、該表示部２４で、役物３２ａ,３２ｂ,３２ｃ,３２ｄが暗示する演出内容とは別の演出を行なったり、あるいは特定の図柄を停止表示してもよい。また前記主制御手段３８では、パチンコ球がスイッチ検出されたタイミングで取得した乱数値に基づき、当り、外れ、リーチ演出の種類等が決定され、対応する制御コマンドが統括制御手段４０に送られる。
【００２５】
そして、前記角度検出手段３０が、前記主制御手段３８で決定されたリーチ演出に対応する役物３２ａ,３２ｂ,３２ｃ,３２ｄを指し示す位置となったことを検出すると、前記統括制御手段４０から図柄制御手段２６に停止制御コマンドが送られ、該図柄制御手段２６により駆動手段２８が停止制御され、前記図柄表示部２４が回転停止する。これにより、図柄表示部２４の前記指示辺２４ｄが、対応する役物３２ａ,３２ｂ,３２ｃ,３２ｄを指し示す。すなわち、例えば前記主制御手段３８でＤリーチ演出を行なうことが決定された場合は、図２(ａ)に示す如く、図柄表示部２４の指示辺２４ｄが最下部の役物３２ｄを指し示し、その回転停止のタイミングで、該図柄表示部２４ではＤリーチ演出が行なわれる。また同様に、図２(ｂ)〜図２(ｄ)に示すように、指示辺２４ｄが役物３２ｃ,３２ｂ,３２ａの何れかを指し示した場合には、対応するＣ〜Ａの何れかのリーチ演出が図柄表示部２４で行なわれる。
【００２６】
すなわち、前記図柄表示部２４で行なわれる演出内容は、該図柄表示部２４の回転停止により指し示される役物３２ａ,３２ｂ,３２ｃ,３２ｄと関連しているから、遊技者は、図柄表示部２４が回転する面白さに加えて、該図柄表示部２４が何の役物３２ａ,３２ｂ,３２ｃ,３２ｄを指し示すように回転停止するのかと云う興趣を抱くことができる。また実施例では、各役物３２ａ,３２ｂ,３２ｃ,３２ｄが暗示するリーチ演出に対応するリーチの大当りとなる信頼度を異なるようにしてあるから、遊技者は、図柄表示部２４がより信頼度の高い役物３２ａ,３２ｂ,３２ｃ,３２ｄを指し示して回転停止することへの期待感を抱く。
【００２７】
更に、前記図柄表示部２４が回転停止した際に指し示された役物３２ａ,３２ｂ,３２ｃ,３２ｄでは、前記統括制御手段４０から送られる制御コマンドに基づきランプ制御手段４６により対応する発光手段３４が発光されるから(図２参照)、遊技者に、これから図柄表示部２４で行なわれる演出内容を明確に知らせることができる。また、実施例のように図柄表示部２４の一方の短辺２４ｄを指示手段として用いることで、別途矢印等の指示手段を設ける必要はなく、コストを低廉に抑えることができる。
【００２８】
〔変更例〕
なお、本発明に係る遊技機としては、前述した実施例のものに限られるものではなく、種々の変更が可能である。
１．実施例では、各役物が暗示する演出内容としてリーチ演出を挙げたが、これに限定されるものでなく、図柄表示部で行なわれる図柄変動ゲーム中において段階的に変化して特定の状態(例えば大当り)となることを予告すると共に信頼度が順次増すステップアップ予告演出の内容を夫々暗示するよう設定してもよい。例えば、図４に示す如く、最下部の役物３２ｄが第１のステップアップ予告演出を暗示し、下から２番目の役物３２ｃが第２のステップアップ予告演出を暗示し、下から３番目の役物３２ｂが第３のステップアップ予告演出を暗示し、最上部の役物３２ａが第４のステップアップ予告演出を暗示するよう設定し、この第４のステップアップ予告演出が行なわれたときには、大当りとなるよう設定する。また、前記図柄制御手段２６では、前記駆動手段２８を制御して、前記図柄表示部２４の指示辺２４ｄが、下方から上方へ順に役物を指し示すように段階的に回転停止するよう構成する。これにより、遊技者は、ステップアップ予告が発展することを、図柄表示部２４の段階的な回転停止や前記発光手段３４の発光により知ることができ、大当りとなることへの期待感や遊技の興趣が一層向上する。
【００２９】
２．前記役物が暗示する演出内容としては、リーチ演出の種類やステップアップ予告演出に限らず、ガセ変動、ノーマルリーチ、スーパーリーチ、スペシャルリーチを夫々暗示するものであってもよい。この場合に、図柄表示部が回転・停止を繰り返すことで大当りとなる信頼度が増すように、役物が暗示する内容を配置しておけば、遊技者の興趣をより一層向上することが可能となる。また、再抽選演出を暗示するものでもよく、４つの役物がある場合では、２つを通常とし、他の２つを確変に設定することができる。
【００３０】
３．実施例や変更例１．では、役物を指し示す指示手段として、図柄表示部を構成する一方の短辺(指示辺)を用いた場合で説明したが、図５に示すように、指示手段としての矢印部材３６を図柄表示部２４に一体的に設け、該矢印部材３６により各役物３２ａ,３２ｂ,３２ｃ,３２ｄを指し示すようにしてもよい。
また矢印部材３６等、図柄表示部２４の形状によって役物３２ａ,３２ｂ,３２ｃ,３２ｄを指し示す必要のない場合は、図柄表示部２４の形状は長方形でなく、正方形、その他の多角形、あるいは円形等、各種の形状を採用し得る。なお、図柄表示部に矢印等を表示することで、役物を指し示すこともできる。
【００３１】
４．実施例や変更例１．では、役物に表示した文字により演出内容を暗示させるようにしたが、役物自体の形状や色彩等により演出内容を暗示させるものであってもよい。
５．役物は発光手段を備えた装飾部品に限らず、図示しない作動手段により所要の動作を行なう可動体やフィギュア等であってもよく、図柄表示部により指し示されたタイミングで、可動体やフィギュア等を動作させる構成を採用し得る。
【００３２】
６．役物の数は４つに限定されるものでなく、２以上の複数であればよく、またその間隔も等角度に限定されない。
７．役物の配設位置は、実施例のように正面視において右側にのみ配設される構成に限らず、左側、左右両側あるいは全周囲に配設されるものであってもよい。
８．役物は装飾部材と一体に形成されるものに限らず、装飾部材とは別体で個別に遊技面に配設されるものであってもよい。
９．図柄表示部は、一方向に連続回転するものに限らず、正逆駆動可能な駆動手段を用いて、該図柄表示部が回転停止するまでの間に回転方向を反転するようにしてもよく、また所定角度ピッチで間欠的に回転する構成を採用し得る。
【００３３】
本発明の具体的構成としては、以下のような限定が可能である。
〔付記１〕
請求項１〜４の何れかに記載の遊技機に関し、前記図柄表示部(24)は長方形状を呈し、その２本の長辺(24a,24b)から延長する仮想線(IL,IL)の間に役物(32a,32b,32c,32d)を臨ませることで指し示すよう構成する。
そして付記１に係る遊技機によれば、図柄表示部の形状によって役物を指し示すよう構成したから、別途矢印等の指示手段を設ける必要はなく、コストを低廉に抑えることができる。
【００３４】
〔付記２〕
請求項２記載の遊技機に関し、前記複数の役物(32a,32b,32c,32d)が暗示する各リーチ演出に対応する夫々のリーチの信頼度を異なるよう設定する。
そして付記２に係る遊技機によれば、役物が暗示する各リーチ演出に対応する夫々のリーチの信頼度を異なるようにしたので、図柄表示部の回転停止動作に対する遊技者の興趣を更に向上し得る。
【００３５】
〔付記３〕
請求項３記載の遊技機に関し、前記図柄表示部(24)が回転および停止を繰返して指し示す役物(32a,32b,32c,32d)が段階的に変わることで、予告の信頼度が高くなるよう設定する。
そして付記３に係る遊技機によれば、図柄表示部が回転および停止を繰返して指し示す役物が段階的に変わることで、予告の信頼度が高くなるようにしたので、図柄表示部の回転動作に対する遊技者の興趣を更に向上し得る。
【図面の簡単な説明】
【００３６】
【図１】実施例に係る遊技機の遊技盤を示す概略正面図である。
【図２】実施例の図柄表示部で各役物を指し示す状態を示す説明図である。
【図３】実施例に係る遊技機の制御ブロック図である。
【図４】暗示する演出内容を変更した変更例に係る各役物と図柄表示部を示す説明図である。
【図５】変更例に係る図柄表示部と役物を示す説明図である。
【符号の説明】
【００３７】
１０ 遊技盤，１０ａ 遊技面，２２ 図柄表示装置，２４ 図柄表示部
２４ｄ 一方の短辺、指示辺(指示手段），３２ａ 役物，３２ｂ 役物
３２ｃ 役物，３２ｄ 役物，３４ 発光手段，３６ 矢印(指示手段)
【図１】
2006081623.tif 000003
【図２】
2006081623.tif 000004
【図３】
2006081623.tif 000005
【図４】
2006081623.tif 000006
【図５】
2006081623.tif 000007